(57)【要約】      （修正有）【課題】耳あな式補聴器に特有のこもり感を改善させ、かつ、ハウリングの危険を回避する。【解決手段】耳あな式補聴器１０は、外耳道入口の形状に適合するように先細短筒状に形成され、鼓膜側を指向する先端部に音孔１１２が設けられた中空のシェル部材１１と、このシェル部材の音孔とは反対側の端面を塞ぐフェースプレート１２とを具え、一対の電池接片１３及びマイク１４をフェースプレート１２の内面に配置し、アンプ１５及びレシーバ１６をシェル部材１１の内部に収容してなる耳あな式補聴器１０において、シェル部材１１の表面に複数のディンプル１１１を一様に分布させて設ける。【選択図】図２
2014042281.tif 000002
【特許請求の範囲】
【請求項１】
外耳道入口の形状に適合するように先細短筒状に形成され、鼓膜側を指向する先端部に音孔が設けられた中空のシェル部材と、前記音孔とは反対側の端面を塞ぐフェースプレートと、を有し、一対の電池接片及びマイクを前記フェースプレート内面に配置し、アンプ及びレシーバを前記シェル部材内部に収容してなる、こもり感を改善させ、かつ、ハウリングの危険を回避する耳あな式補聴器であって、
当該耳あな式補聴器の装着時、前記シェル部材が、前記外耳道内に、該シェル部材表面と該外耳道表面とが接するように収まり、
前記シェル部材の表面に複数のディンプルを一様に分布させて設け、
各前記ディンプルが、前記シェル部材の表面から内部へ落ち込む浅い凹面をなすことを特徴とする耳あな式補聴器。
【請求項２】
ベントが形成されないことを特徴とする請求項１に記載の耳あな式補聴器。
【請求項３】
前記シェル部材の内面には、前記音孔の近傍及び前記フェースプレートの近傍においてそれぞれ外部へ開口する通気孔が設けられ、かつ、該通気孔を前記シェル部材内部から隔離しつつ連通させる通気管が、該シェル部材の内面に沿って配置されることを特徴とする請求項１に記載の耳あな式補聴器。
【請求項４】
前記シェル部材の外形を、当該耳あな式補聴器を装着する者の外耳道よりも大き目に形成することを特徴とする請求項３に記載の耳あな式補聴器。
【発明の詳細な説明】
【技術分野】
【０００１】
本発明は、シェル部材の表面形状に特徴を有する耳あな式補聴器に関する。
【背景技術】
【０００２】
軟質のシェル部材を介して外耳道（耳の穴）へ挿入して用いる耳あな式補聴器が１９９０年頃から出現した。これはシェル内に受信部、マイク、電池などが内蔵され、受信部の音の出る先端を鼓膜側へ向けて全体を外耳道内に保持する形式の補聴器である。
耳あな式補聴器の一つの問題点は、外耳道がシェルで塞がれると400Hz付近の低い音が共鳴して「こもり感」や「閉塞感」を生じる点である。
【０００３】
これを改善するために、特許文献１のように、シェル内外を連絡する通気管（ベント）を設ける例があるが、ハウリングが起こり易くなるという危険がある。本発明者はハウリングを防止するためシェルの外形を外耳道のサイズより大きくすることを試みたが、皮膚に不快な圧迫感を生じるという問題点を生じた。
発明者が調べた特許文献１乃至３の範囲では、上記の問題に関連して、シェルの表面構造について特に工夫した発明・考案は見当たらないようである。
【先行技術文献】
【特許文献】
【０００４】
【特許文献１】特開２００８−１９９１９３号公報
【特許文献２】特開平１０−０６６１９６号公報
【特許文献３】特開平１０−０９８７９７号公報
【発明の概要】
【発明が解決しようとする課題】
【０００５】
本発明では、耳あな式補聴器に特有のこもり感を改善させ、かつ、ハウリングの危険を回避する耳あな式補聴器を提供することを目的とする。
【課題を解決するための手段】
【０００６】
開示する耳あな式補聴器の一形態は、外耳道入口の形状に適合するように先細短筒状に形成され、鼓膜側を指向する先端部に音孔が設けられた中空のシェル部材と、前記音孔とは反対側の端面を塞ぐフェースプレートと、を有し、一対の電池接片及びマイクを前記フェースプレート内面に配置し、アンプ及びレシーバを前記シェル部材内部に収容してなる、こもり感を改善させ、かつ、ハウリングの危険を回避する耳あな式補聴器であって、当該耳あな式補聴器の装着時、前記シェル部材が、前記外耳道内に、該シェル部材表面と該外耳道表面とが接するように収まり、前記シェル部材の表面に複数のディンプルを一様に分布させて設け、各前記ディンプルが、前記シェル部材の表面から内部へ落ち込む浅い凹面をなすことを特徴とする。
また、開示する耳あな式補聴器の一形態は、上記構成に加え、ベントが形成されないことを特徴とする。
【０００７】
また、開示する耳あな式補聴器の一形態は、上記構成に加え、前記シェル部材の内面には、前記音孔の近傍及び前記フェースプレートの近傍においてそれぞれ外部へ開口する通気孔が設けられ、かつ、該通気孔を前記シェル部材内部から隔離しつつ連通させる通気管が、該シェル部材の内面に沿って配置されることを特徴とする。
【０００８】
また、開示する耳あな式補聴器の一形態は、上記構成に加え、前記シェル部材の外形を、当該耳あな式補聴器を装着する者の外耳道よりも大き目に形成することを特徴とする。
【発明の効果】
【０００９】
開示する耳あな式補聴器は、耳あな式補聴器に特有のこもり感を改善させ、かつ、ハウリングの危険を回避することができる。
【図面の簡単な説明】
【００１０】
【図１】ディンプルを具える耳あな式補聴器を外耳道へ挿入、装着した状態を示すカットアウト図である。
【図２】ディンプルを具える耳あな式補聴器の分解図である。
【図３】シェル部材表面のディンプルを示す部分拡大図及び断面図を伴う斜視図である。
【図４】ディンプル及びベントを具えるシェル部材の断面を示す側面図である。
【図５】各種形状のディンプルを混合して具えるシェル部材の斜視図である。
【図６】各ディンプルの間を溝で連ねたシェル部材の斜視図である。
【発明を実施するための形態】
【００１１】
本発明の好適な実施の形態を以下の実施例により説明する。
【実施例１】
【００１２】
図１は本実施例に係るディンプルを具える耳あな式補聴器を外耳道へ挿入、装着した状態を示すカットアウト図、図２はディンプルを具える耳あな式補聴器の分解図、図３はシェル部材表面のディンプルを示す部分拡大図及び断面図を伴う斜視図である。
【００１３】
本実施例に係る耳あな式補聴器１０は、外耳道２の入口の形状に適合するように先細短筒状に形成され、鼓膜側を指向する先端部に音孔１１２が設けられた中空のシェル部材１１と、このシェル部材の音孔とは反対側の端面を塞ぐフェースプレート１２とを具え、一対の電池接片１３及びマイク１４がフェースプレート１２の内面に配置され、アンプ１５及びレシーバ１６がシェル部材１１の内部に収容される。
【００１４】
シェル部材１１の表面には複数のディンプル１１１が一様に分布するように設けられ、それぞれのディンプル１１１は、シェル部材１１の表面から内部へ落ち込む凹状の浅い球面をなす。
【００１５】
本実施例では、ディンプル１１１を設けることにより、シェル部材１１の表面と皮膚との間にわずかな隙間ができ通気性が付与されるので、こもり感や閉塞感を改善することができる。
【実施例２】
【００１６】
図４は第２実施例としての、ディンプル及びベントを具えるシェル部材の断面を示す側面図である。
【００１７】
本実施例に係る耳あな式補聴器１０のシェル部材１１の内面には、音孔１１２の近傍及びフェースプレート１２の近傍においてそれぞれ外部へ開口する通気孔１１３、１１３が設けられ、かつこれら通気孔をシェル部材１１内部から隔離しつつ連通させる通気管１１４が、シェル部材１１の内面に沿って配置される。
【００１８】
シェル部材１１の表面には実施例１と同様に複数のディンプル１１１が一様に分布するように設けられており、ハウリングを防止するためシェル部材１１の外形を外耳道２よりもやや大き目に形成する場合にも、シェルの外面と皮膚との接触面積が減少するため皮膚への圧迫感が軽減され、快適な装着感が得られる。
【実施例３】
【００１９】
図５及び図６は、第３実施例としてのディンプルを具えるシェル部材の斜視図である。
本実施例の場合も、第２実施例と同様に、シェル部材１１の内面に通気孔１１３、１１３及びこれら通気孔を連通させる通気管１１４を設けても良い。
【００２０】
本実施例では、第１及び第２実施例と異なり、ディンプル１１１が同形ではなく、円形、楕円形又はｎ角形（ｎは３〜６）から選択される任意の平面形状を有し、隣合う個々のディンプル、又は複数個のディンプルからなる隣合う群が、互いに異なる平面形状を有し、或いは隣合うディンプル１１１の間が幅の細い溝１１０で結ばれても良い。
（総括）
【００２１】
本発明の課題は、耳あな式補聴器に特有のこもり感や閉塞感を、可及的に通気管によらないで緩和することである。また通気管を設ける場合にもハウリングの危険度を低く保つことができ、かつ装着時に耳道への圧迫感の少ないシェルの構造を提供することである。
【００２２】
本発明ではディンプルを設けることにより、シェル部材の表面と皮膚との間にわずかな隙間ができ通気性が付与されるので、ベントと同様な効果、すなわちこもり感や閉塞感を改善することができる。これによりベントを形成する必要性が低下するので、ベントによるハウリングの危険を回避することができる。
【００２３】
またベントを形成し、かつシェルの外形を外耳道のサイズに対してやや大き目に形成してハウリングを防止しようとする場合にも、ディンプルを設けることにより、シェルの外面と皮膚との接触面積が減少するため、皮膚への圧迫感が軽減され、快適な装着感が得られる。
（付記１）
【００２４】
外耳道入口の形状に適合するように先細短筒状に形成され、鼓膜側を指向する先端部に音孔が設けられた中空のシェル部材と、前記音孔とは反対側の端面を塞ぐフェースプレートと、を有し、一対の電池接片及びマイクを前記フェースプレート内面に配置し、アンプ及びレシーバを前記シェル部材内部に収容してなる耳あな式補聴器において、
当該耳あな式補聴器の装着時、前記シェル部材が、前記外耳道内に、該シェル部材表面と該外耳道表面とが接するように収まり、
前記シェル部材の表面に複数のディンプルを一様に分布させて設け、
各前記ディンプルが、前記シェル部材の表面から内部へ落ち込む浅い凹面をなす耳あな式補聴器であって、
前記各ディンプルが、円形、楕円形又はｎ角形（ｎは３〜６）から選択される平面形状を有することを特徴とする耳あな式補聴器。
（付記２）
【００２５】
隣合う個々の前記ディンプル、又は複数個の前記ディンプルからなる隣合う群が、互いに異なる平面形状を有することを特徴とする付記１に記載の耳あな式補聴器。
（付記３）
隣合う前記ディンプルの間が、幅の細い溝で結ばれることを特徴とする付記３に記載の耳あな式補聴器。
【符号の説明】
【００２６】
１  耳殻、２  外耳道、１０  耳あな式補聴器、１１  シェル部材、１１０  ディンプル間を結ぶ溝、１１１  ディンプル、１１２  音孔、１１３  通気孔、１１４  通気管（ベント）、１２  フェースプレート、１３  電池接片、１４  マイク、１５  アンプ、１６  レシーバ、１７  配線
【図１】
2014042281.tif 000003
【図２】
2014042281.tif 000004
【図３】
2014042281.tif 000005
【図４】
2014042281.tif 000006
【図５】
2014042281.tif 000007
【図６】
2014042281.tif 000008